(57)【特許請求の範囲】
【請求項１】
空気調和装置の室内ユニットに冷媒連絡配管（１８，１９）を介して接続されて蒸気圧縮式冷凍回路を構成する空気調和装置の室外ユニットであって、
前記蒸気圧縮式冷凍回路の一部を収納し、電線及び／又は前記冷媒連絡配管（１８，１９）を導入する開口（２５１）が形成されているケーシング（２０）と、
前記電線及び／又は前記冷媒連絡配管（１８，１９）を貫通させた状態で前記開口（２５１）を閉じるカバー（４０）と、
を備え、
前記カバー（４０）及び前記開口（２５１）の周辺部の少なくとも一方に、他方へ向って隆起して接触する隆起部（２０１）が形成されている、
空気調和装置の室外ユニット（２）。
【請求項２】
前記カバー（４０）は、
前記ケーシング（２０）に固定される固定部（４１）と、
前記固定部（４１）が固定されたときに自由端となる自由端部（４２）と、
を有し、
前記自由端部（４２）、及び前記自由端部（４２）と対向する前記開口（２５１）の周辺部の少なくとも一方に、前記隆起部（２０１）が形成されている、
請求項１に記載の空気調和装置の室外ユニット（２）。
【請求項３】
前記隆起部（２０１）は、突起、リブ及び切り起しの少なくとも１つを含む、
請求項１又は請求項２に記載の空気調和装置の室外ユニット（２）。
【請求項４】
前記隆起部（２０１）が、リブであって、前記開口（２５１）の周辺部に形成されている、
請求項１又は請求項２に記載の空気調和装置の室外ユニット（２）。
【請求項５】
前記ケーシング（２０）は、
背面を覆う背面部材（２６）と、
前記背面部材（２６）に隣接し前記背面部材（２６）よりも面積が小さい側板（２５）と、
を有し、
前記開口（２５１）は、前記側板（２５）に形成されている、
請求項１又は請求項２に記載の空気調和装置の室外ユニット（２）。
【請求項６】
前記蒸気圧縮式冷凍回路の一部を成し、前記ケーシング（２０）に収納される室外熱交換器（５２）をさらに備え、
前記側板（２５）の一部が前記室外熱交換器（５２）に固定されている、
請求項５に記載の空気調和装置の室外ユニット（２）。
【請求項７】
前記側板（２５）と背面部材（２６）とは、締結されることなく隣接している、
請求項５に記載の空気調和装置の室外ユニット（２）。
【発明の詳細な説明】
【技術分野】
【０００１】
本発明は、空気調和装置の室外ユニットに関し、特に、室外ユニットのケーシングの構造に係るものである。
【背景技術】
【０００２】
空気調和装置の室外ユニットには、冷媒連絡配管導入用の開口が形成されている。通常、この開口は、室外ユニットの側面下部に位置し、冷媒連絡配管と開口の縁部との隙間を閉じるカバーが、その開口の周辺にネジ或は爪などによって脱着可能に取り付けられている（例えば、特許文献１参照）。
【０００３】
室外ユニットは、内部に圧縮機などの電動機で動作する機器を備えているので、運転中は常に振動がカバーへ伝達される。また、冷媒連絡配管内を流れる冷媒の脈動がカバーに直接伝達されることもある。このため、カバーと開口の周辺部との接触部が振動し、衝突音が発生してユーザーに不快感を与える可能性がある。
【特許文献１】特開平８−１２８６７７号公報
【発明の開示】
【発明が解決しようとする課題】
【０００４】
本発明の課題は、冷媒連絡配管などが導入される開口を閉じるカバーと開口周辺との接触部で、衝突音が発生することを抑制する空気調和装置の室外ユニットを提供することにある。
【課題を解決するための手段】
【０００５】
第１発明に係る空気調和装置の室外ユニットは、室内ユニットに冷媒連絡配管を介して接続されて蒸気圧縮式冷凍回路を構成する空気調和装置の室外ユニットであって、ケーシングとカバーとを備えている。ケーシングは、蒸気圧縮式冷凍回路の一部を収納し、電線及び／又は冷媒連絡配管を導入する開口が形成されている。カバーは、電線及び／又は冷媒連絡配管を貫通させた状態で開口を閉じる。そして、カバー、及び開口の周辺部の少なくとも一方に、他方へ向って隆起して接触する隆起部が形成されている。
【０００６】
この室外ユニットでは、カバーと開口の周辺部との衝突音の発生が抑制されるので、ケーシングの振動或は配管振動がカバーに伝播したときでも、騒音の拡大が抑制される。
【０００７】
第２発明に係る空気調和装置の室外ユニットは、第１発明に係る空気調和装置の室外ユニットであって、カバーが、ケーシングに固定される固定部と、固定部が固定されたときに自由端となる自由端部とを有している。そして、自由端部、及び自由端部と対向する開口の周辺部の少なくとも一方に、隆起部が形成されている。
【０００８】
この室外ユニットでは、振動の振幅が最も大きくなる自由端部と開口の周辺部との衝突音の発生が抑制されるので、騒音の抑制効果が向上する。
【０００９】
第３発明に係る空気調和装置の室外ユニットは、第１発明又は第２発明に係る空気調和装置の室外ユニットであって、隆起部が、突起、リブ及び切り起しの少なくとも１つを含んでいる。
【００１０】
この室外ユニットでは、突起、リブ及び切り起しは、カバー又は側板の製造時に一体成形が可能であり、加工費増大が抑制される。
【００１１】
第４発明に係る空気調和装置の室外ユニットは、第１発明又は第２発明に係る空気調和装置の室外ユニットであって、隆起部が、リブであって開口の周辺部に形成されている。
【００１２】
この室外ユニットでは、リブは、カバーと開口の周辺部との衝突音の発生を抑制するだけでなく、開口の周辺部を補強することができる。
【００１３】
第５発明に係る空気調和装置の室外ユニットは、第１発明又は第２発明に係る空気調和装置の室外ユニットであって、ケーシングが、背面部材と、背面部材に隣接し背面部材よりも面積が小さい側板とを有している。開口は、側板に形成されている。
【００１４】
この室外ユニットでは、側板は、背面部材よりも面積が小さいので、振動時の振幅も背面部材よりも小さく、配管からの振動が伝播し易い開口が側板に形成されることは、背面部材に開口が形成されるよりも、騒音の抑制効果が大きい。さらに、カバーと開口の周辺部との衝突音の発生が抑制されることによって、側板から背面部材へ伝播する振動も抑制される。
【００１５】
第６発明に係る空気調和装置の室外ユニットは、第５発明に係る空気調和装置の室外ユニットであって、蒸気圧縮式冷凍回路の一部を成しケーシングに収納される室外熱交換器をさらに備えている。側板の一部は、室外熱交換器に固定されている。
【００１６】
この室外ユニットでは、カバーと開口の周辺部との衝突音の発生を抑制するための構造が、側板の剛性を高めているので、室外熱交換器の振動が側板に伝播したときの側板の振幅は、室外熱交換器の振動が背面部材に伝播したときの背面部材の振幅よりも小さく、騒音の増大が抑制される。
【００１７】
第７発明に係る空気調和装置の室外ユニットは、第５発明に係る空気調和装置の室外ユニットであって、側板と背面部材とは、締結されることなく隣接している。
【００１８】
この室外ユニットでは、側板に振動抑制効果があり、背面部材と隣接している面との衝突音が小さいので、ネジの締結の必要がなく、側板と背面部材との組立作業が短縮される。
【発明の効果】
【００１９】
第１発明に係る空気調和装置の室外ユニットでは、カバーと開口の周辺部との衝突音の発生が抑制されるので、ケーシングの振動或は配管振動がカバーに伝播したとき、騒音の拡大が抑制される。
【００２０】
第２発明に係る空気調和装置の室外ユニットでは、振動の振幅が最も大きくなる自由端部と開口の周辺部との衝突音の発生が抑制されるので、騒音の抑制効果が向上する。
【００２１】
第３発明に係る空気調和装置の室外ユニットでは、突起、リブ及び切り起しは、カバー又は側板の製造時に一体成形が可能であり、加工費増大が抑制される。
【００２２】
第４発明に係る空気調和装置の室外ユニットでは、リブは、カバーと開口の周辺部との衝突音の発生を抑制するだけでなく、開口の周辺部を補強することができる。
【００２３】
第５発明に係る空気調和装置の室外ユニットでは、側板は、背面部材よりも面積が小さいので、振動時の振幅も背面部材よりも小さく、配管からの振動が伝播し易い開口が側板に形成されることは、背面部材に開口が形成されるよりも、騒音の抑制効果が大きい。さらに、カバーと開口の周辺部との衝突音の発生が抑制されることによって、側板から背面部材へ伝播する振動も抑制される。
【００２４】
第６発明に係る空気調和装置の室外ユニットでは、カバーと開口の周辺部との衝突音の発生を抑制するための構造が、側板の剛性を高めているので、室外熱交換器の振動が側板に伝播したときの側板の振幅は、室外熱交換器の振動が背面部材に伝播したときの背面部材の振幅よりも小さく、騒音の増大が抑制される。
【００２５】
第７発明に係る空気調和装置の室外ユニットでは、側板に振動抑制効果があり、背面部材と隣接している面との衝突音が小さいので、ネジの締結の必要がなく、側板と背面部材との組立作業が短縮される。
【発明を実施するための最良の形態】
【００２６】
以下図面を参照しながら、本発明の実施形態について説明する。なお、以下の実施形態は、本発明の具体例であって、本発明の技術的範囲を限定するものではない。
【００２７】
＜室外ユニット２の構成＞
図１は、本発明の一実施形態に係る室外ユニットの平面図であり、天板を取り除いて内部を平面的に図示している。図１において、室外ユニット２では、略直方体形状のケーシング２０の内部が、鉛直に延びる仕切板２８によって機械室２０ａと送風機室２０ｂとに分割されている。室外ユニット２は、屋内に配置される室内ユニット（図示せず）に冷媒連絡配管（図示せず）を介して接続される。
【００２８】
室外ユニット２は、上記ケーシング２０以外に、室外ファン４、圧縮機５１、室外熱交換器５２、液側閉鎖弁６１、ガス側閉鎖弁６２、及び配管等の蒸気圧縮式冷凍回路の構成に必要な部材を備えている。室外ユニット２では、室外ファン４が稼動しているとき、空気は図１のＢ及びＣの方向から吸い込まれ、室外熱交換器５２と熱交換した後、Ａの方向へ吹き出される。
【００２９】
（室外ファン４）
室外ファン４は、複数の翼を有するプロペラファンであり、送風機室２０ｂ内の室外熱交換器５２の前側で、吹出口２３ａに対向するように配置されている。室外ファン４は、室外ファン用電動機４ａによって回転駆動される。
【００３０】
（ケーシング２０）
図２は、本実施形態に係る室外ユニットの正面図であり、図３は、本実施形態に係る室外ユニットの右側面図であり、図４は、本実施形態に係る室外ユニットの背面図である。図１、図２において、ケーシング２０は、略直方体形状をしており、その６面は、底板２１、第１前板２３、第２前板２４、右側板２５、吸込グリル２６及び天板２９（図２参照）によって形成されている。
【００３１】
底板２１は、ケーシング２０の底面部分を構成する略長方形状の金属製板状部材であり、底板２１の周縁部は上向きに折り曲げられている。底板２１の下面には、据付場所の基礎台９９に固定される２つの基礎脚９８が設けられている。基礎脚９８は、ケーシング２０の前側から後側に向かって延びる金属製の板状部材である。
【００３２】
第１前板２３は、空気の吹出口２３ａ側を正面としたとき、仕切板２８の前端より左側の前面及び左側面を形成する。第１前板２３には、Ｃの方向からの空気を吸い込む吸入口が形成されている。また、第１前板２３には、Ｂ及びＣの方向から吸い込まれた空気を外部に吹き出すための吹出口２３ａが設けられている。
【００３３】
第２前板２４は、仕切板２８の前端より右側の前面及び右側面の一部を形成する。図２、図３に示すように、第２前板２４の下部には、前面下部カバー３９が取り付けられている。前面下部カバー３９は、第２前板２４の下端の切り欠き２４１を閉じるための部材であり、孔３９ａを有している。孔３９ａは、切り欠き２４１の端面から図２の正面方向へ突出する爪２４４と嵌合する。
【００３４】
第２前板２４の前面下端の切り欠かれなかった領域（非切り欠き部）は、底板２１の周縁部の上向きに折り曲げられている領域に、ネジ９０によって締結されている。このとき、第２前板２４の前面下端が、底板２１の周縁部の外側となるように締結される。また、図３に示すように、前面下部カバー３９は、ネジ９０によって、第２前板２４の右側面下部および底板２１の周縁部に固定される。
【００３５】
右側板２５は、第２前板２４に隣接してケーシング２０の右側面の残りと背面の一部を形成する。図３、図４に示すように、右側板２５の下部には、背面下部カバー４０が取り付けられており、この背面下部カバー４０は、右側板２５の下端にある開口２５１を閉じるための部材である。
【００３６】
開口２５１には、液冷媒連絡配管１８、ガス冷媒連絡配管１９及び電線が挿入されるので、背面下部カバー４０は、液冷媒連絡配管１８、ガス冷媒連絡配管１９及び電線を貫通させた状態で開口２５１を閉じる。なお、室外ユニット２の据付条件によって、背面下部カバー４０は、液冷媒連絡配管１８及びガス冷媒連絡配管１９だけを貫通させた状態のときや、或は電線だけを貫通させた状態のときもある。
【００３７】
背面下部カバー４０は、ネジ９０によって、右側板２５の右側面下部および底板２１の周縁部に固定される。この背面下部カバー４０については、説明の便宜上、右側板２５の右側面下部および底板２１の周縁部に固定される領域をカバー固定部４１とし、固定されない領域の自由端をカバー自由端部４２とする。カバー自由端部４２は、右側板２５の背面側下部の内側に入り込んでいる。
【００３８】
図５は、図４の背面下部カバーのＤ−Ｄ線における断面図である。図５において、右側板２５の背面側下部の内側には、リブ２０１が設けられており、カバー自由端部４２が、このリブ２０１と接触している。リブ２０１とカバー自由端部４２との間には、適度の接触圧力が設定されており、液冷媒連絡配管１８及びガス冷媒連絡配管１９を流れる冷媒の脈動、或は圧縮機５１の振動でカバー自由端部４２が振動することを抑制している。仮に、カバー自由端部４２が振動しても、リブ２０１とは、点接触又は線接触であるので、面接触に比べて、発生する音は小さく抑制される。
【００３９】
右側板２５のリブ２０１から隣接する吸込グリル２６までの領域は、下端が底板まで伸びており、所定の箇所が室外熱交換器５２の一部と連結されている。仮に、室外熱交換器５２を通る冷媒の脈動が右側板２５を介して背面下部カバー４０に伝わり、背面下部カバー４０が振動しても、リブ２０１とは、点接触又は線接触であるので、面接触に比べて、発生する音は小さく抑制される。
【００４０】
吸込グリル２６は、右側板２５に隣接して残りの背面を形成しており、室外ファン４によってケーシング２０内に吸入される空気の吸入口２６ｃが形成されている。
【００４１】
図１において、仕切板２８は、送風機室２０ｂ側に突出するように屈曲した形状を有しており、ケーシング２０の内部を左右２つの空間に仕切るように配置されている。仕切板２８の前面側端部は第１前板２３の右端部にネジ等によって締結され、仕切板２８の背面側端部は、管板５９の前面側端部にネジ等によって締結されている。
【００４２】
なお、管板５９とは、ケーシング２０の左側面から背面に沿うように配置された略Ｌ字形状の部材であり、室外熱交換器５２の右端面に対向するように設けられており、その下部が底板２１にネジ等により固定されている。
【００４３】
天板２９は、室外ユニット２の天面部分を構成する横長の略長方形状の金属製の板状部材であり、天板２９の周縁部は下向きに折り曲げられている。本実施形態では、天板２９の周縁部の下向きに切り曲げられた領域の内側へ、第２前板２４の上端が入ることによって、第２前板２４は天板２９に保持されており、ネジ等の締結は行われていない。したがって、第２前板２４の下端と底板２１の周縁部とのネジ締結を解消することによって、第２前板２４は、下方へ降下してケーシング２０から取り外される。第２前板２４が取り外されたとき、機械室２０ａの内部が見えるようになっているので、第２前板２４は、機械室２０ａ内に収容された部品のメンテナンス作業を行う際に取り外される。
【００４４】
（閉鎖弁取付板３０）
図１に示すように、閉鎖弁取付板３０は、第１前板２３の右端部と、右側板２５の前端部との間に掛け渡されるように、機械室２０ａに設けられた細長い板状の部材であり、第１領域３０ａと、第２領域３０ｂと、固定部３１とを有する金属製の部材である。なお、閉鎖弁取付板３０は、機械室２０ａ内において、圧縮機５１の上端付近の高さ位置に配置されている。
【００４５】
第１領域３０ａは、閉鎖弁取付板３０が機械室２０ａ内に配置された状態において、第１前板２３の右端部から第２前板２４の右側面部分に向かって第２前板２４の前面部分とほぼ平行に延び、続いて、第２前板２４の前面部分から遠ざかる方向に傾斜しながら延び、続いて、第２前板２４の右側面部分に向かって第２前板２４の前面部分とほぼ平行に延びる部分である。なお、第１領域３０ａは、長手方向左端に、仕切板２８の前端部とともに第１前板２３の右端部に保持される支持部３３を有している。
【００４６】
第２領域３０ｂは、閉鎖弁取付板３０が機械室２０ａ内に配置された状態において、第１領域３０ａの長手方向右端から右側板２５の前端部に向かって第２前板２４の前面部分から遠ざかる方向に傾斜しながら延びる部分である。第２領域３０ｂは、液側閉鎖弁６１及びガス側閉鎖弁６２が装着される部分であり、液側閉鎖弁６１及びガス側閉鎖弁６２を長手方向に並べて装着することが可能である。閉鎖弁取付板３０が機械室２０ａ内に配置された状態において、第２前板２４の右側面部分側にガス側閉鎖弁６２が装着され、ガス側閉鎖弁６２の左側に液側閉鎖弁６１が装着される。
【００４７】
（圧縮機５１）
図１において、圧縮機５１は、圧縮機用電動機をハウジング内に内蔵する密閉型圧縮機であり、機械室２０ａに配置されている。圧縮機５１は、ケーシング２０の全高の１／３〜１／２程度の高さの縦型円筒形状を有し、その下部が底板２１に固定されている。また、圧縮機５１は、ケーシング２０の平面視において、機械室２０ａの前後方向中央付近に、かつ、機械室２０ａの仕切板２８付近に配置されている。
【００４８】
（室外熱交換器５２）
室外熱交換器５２は、送風機室２０ｂ内に配置されており、室外ファン４によってケーシング２０内に吸い込まれた空気との間で熱交換を行う。室外熱交換器５２は、図１の平面視において略Ｌ字形状を有し、ケーシング２０の左側面から背面に沿うように配置されている。
【００４９】
（電装品箱５５）
電装品箱５５は、電気絶縁性に優れた樹脂で成形された筐体であって、室内ユニット（図示ぜず）と通信して室外ファン用電動機４ａ及び圧縮機５１などを制御する制御部を内蔵している。電装品箱５５は、仕切板２８に装着される。
【００５０】
（電装品箱取付板５６）
電装品箱取付板５６は、電装品箱５５を仕切板２８に装着する板金部材であり、仕切板２８に引っ掛かる取付爪５６ａを有している。取付爪５６ａは、仕切板２８に予め設けられている爪挿入孔２８ａに挿入されることによって、仕切板２８に引っ掛かる。
【００５１】
＜特徴＞
（１）
室外ユニット２では、ケーシング２０には、電線及び／又は冷媒連絡配管を導入する開口２５１が形成されている。開口２５１の縁と、電線及び／又は冷媒連絡配管との隙間は、背面下部カバー４０によって閉鎖される。即ち、背面下部カバー４０は、電線及び／又は冷媒連絡配管を貫通させた状態で開口２５１を閉じている。開口２５１の周辺部のうち、背面下部カバー４０のカバー自由端部４２と対向する位置に、リブ２０１が形成されている。この結果、ケーシング２０の振動或は配管振動が背面下部カバー４０に伝播したとき、カバー自由端部４２とリブ２０１とが、背面下部カバー４０と開口２５１の周辺部との衝突音の発生を抑制している。また、カバー自由端部４２とリブ２０１とは、点又は線接触であり、衝突音も小さく騒音の拡大が抑制される。
【００５２】
さらに、リブ２０１は、背面下部カバー４０と開口２５１の周辺部との衝突音の発生を抑制するだけでなく、開口２５１の周辺部を補強している。この結果、リブ２０１が、右側板２５の剛性を高めており、右側板２５が室外熱交換器５２に固定されて、室外熱交換器５２からの振動が右側板２５に伝播したときでも、右側板２５の振動振幅を小さく抑えている。
【００５３】
（２）
室外ユニット２では、開口２５１が形成されている右側板２５が、吸込グリル２６よりも面積が小さいので、振動時の振幅も吸込グリル２６より小さい。したがって、吸込グリル２６に開口２５１を形成するよりも、騒音の抑制効果が大きい。さらに、背面下部カバー４０と開口２５１の周辺部との衝突音の発生が抑制されることによって、右側板２５から吸込グリル２６へ伝播する振動も抑制されるので、右側板２５と吸込グリル２６との互いに隣接している面との衝突音が小さくなる。この結果、ネジの締結の必要がなく、右側板２５と吸込グリル２６との組立作業が短縮される。
【００５４】
＜変形例＞
上記実施形態では、背面下部カバー４０のカバー自由端部４２が、右側板２５の背面側下部の内側に設けられたリブ２０１と接触する構造を採用しているが、これに限定されるものではない。すなわち、リブ２０１の替わりに、複数の突起、又は切り起しでもよい。
【００５５】
また、カバー自由端部４２を挟み込む構造でもよい。例えば、図６は、変形例に係る室外ユニットの背面下部カバーの断面図であり、図６において、右側板２５の背面側下部の端部が内側に向って切り起こされ、その切り起し部と切り起し部以外とによって挟み部２０２が形成されている。カバー自由端部４２は、その挟み部２０２に挟まれている。
【００５６】
その結果、液冷媒連絡配管１８及びガス冷媒連絡配管１９を流れる冷媒の脈動、或は圧縮機５１の振動が背面下部カバー４０に伝達されても、カバー自由端部４２が振動することが防止される。また、室外熱交換器５２を通る冷媒の脈動が右側板２５を介して背面下部カバー４０に伝わり、背面下部カバー４０が振動しても、カバー自由端部４２は、挟み部２０２に挟まれているので、衝突音の発生は防止される。
【産業上の利用可能性】
【００５７】
以上のように、本発明によれば、開口を閉じるカバーが振動した場合でも、カバーと開口の周辺部との衝突音を抑制して騒音の拡大を防ぐので、筐体の開口をカバーで閉じる構造にも有用である。
【図面の簡単な説明】
【００５８】
【図１】本発明の一実施形態に係る室外ユニットの平面図。
【図２】本実施形態に係る室外ユニットの正面図。
【図３】本実施形態に係る室外ユニットの右側面図。
【図４】本実施形態に係る室外ユニットの背面図。
【図５】図４の背面下部カバーのＤ−Ｄ線における断面図。
【図６】変形例に係る室外ユニットの背面下部カバーの断面図
【符号の説明】
【００５９】
２  室外ユニット
１８  液冷媒連絡配管
１９  ガス冷媒連絡配管
２０  ケーシング
２０ａ  第１空間
２０ｂ  第２空間
２５  右側板
２６  吸込グリル（背面部材）
４０  背面下部カバー
４１  カバー固定部
４２  カバー自由端部
５２  室外熱交換器
２０１  リブ
２０２  挟み部
２５１  開口
【図１】
0005303964.tif 000002
【図２】
0005303964.tif 000003
【図３】
0005303964.tif 000004
【図４】
0005303964.tif 000005
【図５】
0005303964.tif 000006
【図６】
0005303964.tif 000007